(57)【要約】測定対象デバイスの送信パラメータを測定するための測定ユニットであって、制御ユニットと、送受信ユニットと、評価ユニットとを備える測定ユニット。送受信ユニットは、制御ユニットに第１の接続を介して接続され、測定対象デバイスに少なくとも１つの送信チャネルを介して接続される。測定対象デバイスは、評価ユニットに第２の接続を介して接続されるが、測定対象デバイスの送信パラメータの測定のために、制御ユニット、評価ユニット間で、制御データ・パケットとテスト・データ・パケットとが別々に送信され、テスト・データ・パケット用の送信チャネルに意図的に妨害を行うことが可能である。【選択図】図２
2013541893.tif 000002
【特許請求の範囲】
【請求項１】
測定対象デバイス（２）の送信パラメータを測定するための測定ユニット（１）であって、
制御ユニット（３）と、
送受信ユニット（４）と、
評価ユニット（５）と
を備え、
前記送受信ユニット（４）が、前記制御ユニット（３）に第１の接続（６）を介して接続されるとともに、前記測定対象デバイス（２）に少なくとも１つの送信チャネル（７）を介して接続され、
前記測定対象デバイス（２）が、前記評価ユニット（５）に第２の接続（８）を介して接続され、
前記測定対象デバイス（２）の前記送信パラメータの前記測定のために、前記制御ユニット（３）と前記評価ユニット（５）との間を、制御データ・パケットとテスト・データ・パケットとが別々に送信され、
前記テスト・データ・パケット用の送信チャネル（７）に意図的に妨害を行うことが可能である、
測定ユニット（１）。
【請求項２】
前記送信チャネル（７）が、たとえばＬＴＥ標準、ＷｉＭＡＸ標準、ＷＬＡＮ標準またはＵＭＴＳ標準に従うシミュレート化された無線送信チャネルであることを特徴とする、請求項１に記載の測定ユニット。
【請求項３】
前記送信チャネル（７）が、前記制御データ・パケットの送信中に妨害を受けないことを特徴とする、
先の請求項のうちのいずれか１項に記載の測定ユニット。
【請求項４】
前記送信チャネル（７）に、マルチプル・フェーディングやノイズ等の干渉を加えることが可能であることを特徴とする、
先の請求項のうちのいずれか１項に記載の測定ユニット。
【請求項５】
前記制御データ・パケットを、妨害を受けない送信チャネル（７）介して、または、妨害を受けない少なくとも１つの更なる接続（２０）を介して送信することが可能であることを特徴とする、
先の請求項のうちのいずれか１項に記載の測定ユニット。
【請求項６】
前記更なる接続（２０）が、前記制御ユニット（３）と前記評価ユニット（５）との間の直接接続であることを特徴とする、
請求項５に記載の測定ユニット。
【請求項７】
前記送信パラメータの前記測定が、スループット測定、レイテンシ時間測定、ラウンド・トリップ遅延測定（Rundlauf-Verzogerungs-Messung）、ジッタ測定（Schwankungs-Messung）、および／または、パケット誤り率であることを特徴とする、
先の請求項のうちのいずれか１項に記載の測定ユニット。
【請求項８】
前記スループット測定が、前記送信チャネル（７）のアップリンク経路内および／またはダウンリンク経路内で実行され、
各ケースにおいて、前記スループットの測定が行われない経路に妨害が行われないことを特徴とする、
請求項７に記載の測定ユニット。
【請求項９】
前記制御ユニット（３）および前記評価ユニット（５）が、共通のコンピュータ・システム（３０）内に組み入れらること、または、前記制御ユニット（３）および前記評価ユニット（５）が、前記送受信ユニット（４）のコンピュータ・システム（４０）内に共同で組み入れられることを特徴とする、
先の請求項のうちのいずれか１項に記載の測定ユニット。
【請求項１０】
測定対象デバイス（２）の送信パラメータを、測定ユニット（１）を使って測定する方法であって、
前記測定ユニット（１）が、制御ユニット（３）と、送受信ユニット（４）と評価ユニット（５）とを備え、
前記送受信ユニット（３）が、前記制御ユニット（３）に第１の接続（６）を介して接続されるとともに、前記測定対象デバイス（２）に送信チャネル（７）を介して接続され、
前記測定対象デバイス（２）が、前記評価ユニット（５）に第３の接続（８）を介して接続され、
前記方法が、
前記制御ユニット（３）と前記評価ユニット（５）との間で制御データ・パケットを送信する方法ステップ（Ｓ１）と、
前記制御ユニット（３）と前記評価ユニット（５）との間でのテスト・データ・パケットの送信に使用される送信チャネル（７）を意図的に干渉する方法ステップ（Ｓ２）と、
前記制御ユニット（３）と前記評価ユニット（５）との間で、または、前記評価ユニット（５）と前記制御ユニット（３）との間でテスト・データ・パケットを送信する方法ステップ（Ｓ３）と
を有する方法。
【請求項１１】
テスト・データ・パケットが送信または受信されるとすぐに、前記制御ユニット（３）内または前記評価ユニット（５）内のクロックを開始する方法ステップ（Ｓ４）と、
更なるテスト・データ・パケットまたは確認応答データ・パケットが受信されるとすぐに、前記制御ユニット（３）内または前記評価ユニット（５）内の前記クロックを停止する方法ステップ（Ｓ５）と、
経過時間をバッファ・ユニットに加え、受信されたテスト・データ・パケットまたは確認応答データ・パケットの数をインクリメントする方法ステップ（Ｓ６）と
を特徴とする請求項１０に記載の方法。
【請求項１２】
制御データ・パケットが送信されるとすぐに、前記干渉を無くすか、または、前記制御ユニット（３）と前記評価ユニット（５）との間の妨害を受けない更なる接続（２０）で前記制御データ・パケットを送信する方法ステップ（Ｓ７）
を特徴とする請求項１０または１１に記載の方法。
【請求項１３】
前記制御ユニット（３）または前記評価ユニット（５）から前記評価ユニット（５）または前記制御ユニット（３）に、全てのテスト・データ・パケットが送信されたことの指示を、制御データ・パケットとして送信する方法ステップ（Ｓ８）
を特徴とする、先の請求項のうちのいずれか１項に記載の方法。
【請求項１４】
前記制御ユニット（３）または前記評価ユニット（５）により、データ・スループット、レイテンシ、ラウンド・トリップ遅延（Rundlauf-Verzogerung）、ジッタ（Schwankungen）、パケット誤り率等の前記送信パラメータを算出する方法ステップ（Ｓ９）
を特徴とする請求項１３に記載の方法。
【請求項１５】
前記制御ユニット（３）により、テスト・プロトコルを作成し（Ｓ１０）、および／または、前記評価ユニット（５）により、テスト・プロトコルを作成し、前記制御ユニット（４）に前記テスト・プロトコルを制御データ・パケットとして通信する方法ステップ
を特徴とする請求項１４に記載の方法。
【発明の詳細な説明】
【技術分野】
【０００１】
本発明は、測定ユニット、および、測定対象デバイスの送信パラメータを測定する方法に関する。送信パラメータの測定は、好ましくは、スループット測定、レイテンシ測定、ラウンド・トリップ遅延測定（ドイツ語でUmlaufzeitverzogerung）、ジッタ測定、パケット誤り率測定を含むが、測定対象デバイスは、模擬無線送信チャネルを介して、測定ユニットに接続される。
【背景技術】
【０００２】
携帯電話、オーガナイザ、ラップトップ等のポータブル電子デバイスは、ＷＬＡＮルータ（英語でwireless local area network、ドイツ語でdrahtloses lokales Netzwerk）等、固定状態での使用向けのデバイスも含めて、増加し続ける多数の通信標準を今やカバーしている。たとえば、ＧＭＳ標準（英語でglobal system for mobile communications、ドイツ語でSystem zur weltweiten drahtlosen Kommunikation）およびＵＭＴＳ標準（英語でuniversal mobile telecommunications system、ドイツ語でuniverselle drahtloses
Kommunikationssystem）と並んで、新たな携帯電話は、ＷｉＭＡＸ（英語でworldwide interoperability for microwave access、ドイツ語でWeltweite Kompatibilitat fur Mikrowellenzugriffe）やＬＴＥ（英語でLong Term Evolution、ドイツ語でLangzeitentwicklung）等、高速データ送信向けの新たな通信標準もサポートしている。したがって、ＷＬＡＮルータは、ＩＥＥＥ８０２．１１ａ（英語でInstitute of Electrical and Electronics Engineers、ドイツ語でals standardisierungs-Gremium fungierender Ingenieursverband）やＩＥＥＥ８０２．１１ｎ等の様々な通信標準もサポートしている。電子デバイスが誤りなく機能することを確実にするために、様々な送信パラメータ測定が行われる。このコンテキストでは、重要なインデックスの１つを、今までのところビット誤り率としている。しかし、エンド・ユーザにとって、ビット誤り率は、実現可能なデータ・スループットほどは関連性のあるものではない。さらに、ビット誤り率に基づく実現可能な最大データ・スループットの算出は、可能ではない。
【０００３】
ＷＬＡＮ基地局についてデータ・スループットを測定するためのシステムは、ＪＰ２００７-１１６３２９のものが知られている。測定ユニットが、データ・パケットを作り出し、それらをテスト下のＷＬＡＮ基地局に送信する。このコンテキストでは、測定ユニットは、受信されたデータ・パケットについての確認応答パケット（acknowledge packet）をカウントする。測定ユニットは、送信されるデータ・パケット、受信される確認応答パケットの数、および個々のデータ・パケットのサイズに基づいて、データ・スループットを算出する。ＪＰ２００７-１１６３２９Ａの不利な点は、データ・スループットを算出するために、確認応答パケットを必ず受け取らなければならず、したがって、それぞれの戻りチャネル（return channel）の品質が、ダウンリンク経路（英語でdownlink）またはアップリンク経路（英語でuplink）のスループット測定に必然的に影響を及ぼすことである。
【発明の概要】
【０００４】
したがって、本発明の目的は、測定対象デバイスについての送信パラメータをできるだけ正確に測定するための測定ユニットおよび対応する測定方法を提供することである。
【０００５】
この目的は、請求項１の特徴による測定ユニットについて、また、請求項１０の特徴による方法について達成される。従属請求項は、本発明による測定ユニットおよび本発明による方法の更なる有利な発展を明示する。
【０００６】
測定対象デバイスの送信パラメータを測定するための本発明による測定ユニットは、制御ユニット、送受信ユニットおよび評価ユニットを備える。送受信ユニットは、第１の接続を介して制御ユニットに接続され、少なくとも１つの送信チャネルを介して測定対象デバイスに接続される。測定対象デバイスは、第２の接続を介して評価ユニットに接続されるが、この測定対象デバイスの送信パラメータを測定するために、制御ユニット、評価ユニット間で、制御データ・パケットとテスト・データ・パケットとが別々に送信される。このコンテキストでは、テスト・データ・パケットについての送信チャネルに、意図的に妨害を行うことが可能である。
【０００７】
テスト・データ・パケットと制御データ・パケットとが互いに別々に送信され、したがって、テスト・データ・パケットについての送信チャネルのみに、意図的に妨害を行うことが可能であることは、とりわけ有利である。この結果、たとえば、スループット測定の場合、たとえば個々のテスト・データ・パケットへの確認応答に必要な追加の制御データ・パケット、または、一般的なコンフィギュレーションパラメータを含んだ追加の制御データ・パケットが、干渉なしで送信されるので、スループットが、送信されるテスト・データ・パケットの数のみから取得される。したがって、測定対象デバイスの送信ユニットおよび受信ユニットの性能についての高精度な結果を得ることが可能である。さらに、測定対象デバイスが次のオペレーション領域で体験することとなるシナリオを、テスト・データ・パケット用の通信チャネルの意図的な妨害を通してシミュレートすることが可能である。
【０００８】
測定対象デバイスの送信パラメータを測定する本発明による方法の第１の方法ステップでは、制御データ・パケットが、制御ユニットと評価ユニットとの間で送信される。第２の方法ステップでは、制御ユニットと評価ユニットとの間でのテスト・データ・パケットの送信に使用される送信チャネルが妨害される。第３の方法ステップでは、テスト・データ・パケットが、制御ユニットと評価ユニットとの間、または評価ユニットと制御ユニットとの間で送信される。
【０００９】
制御データ・パケットが本発明による方法の第１の方法ステップで送信されることが特に有利な点である。たとえばテスト・データ・パケット数、テスト・データ・パケットのサイズまたはデータ率を含んだ制御データ・パケットの送信中に、送信チャネルが妨害されないので、この情報は、評価ユニットに安全に到達する。送信チャネルは、これを通ってテスト・データ・パケットが送信され、第２の方法ステップでのみ意図的に妨害され、これにより、オペレーション中に発生することのある様々なシナリオをシミュレートすることができる。次いで、測定対象デバイスの送信パラメータを非常に正確に、かつ、制御データ・パケットの送信とは独立して測定するために、テスト・データ・パケットは、第３の方法ステップでのみ、妨害された送信チャネルを介して送信される。
【００１０】
さらに、本発明による測定ユニットの場合、妨害されていない送信チャネルまたは妨害されていない少なくとも１つの更なる接続を介して、制御データ・パケットを送信できれば有利である。これにより、送信パラメータを求めるまでの時間を短縮することができるが、これは、たとえば、コネクションオリエンテッドのプロトコルの場合、妨害されていない送信チャネルまたは少なくとも１つの更なる接続を介して、制御ユニット、評価ユニット間で確認応答パケットを送信可能であるからである。この場合、テスト・データ・パケット用の送信チャネルを、制御データ・パケットの送信についての測定中に適合させる必要はない。
【００１１】
さらに、本発明による測定ユニットの場合、制御ユニットおよび評価ユニットを共通のコンピュータ・システムに組み入れること、または、制御ユニットおよび評価ユニットを
共同で、送受信ユニットのコンピュータ・システムに組み入れることが有利である。これにより、必要な構成部品の量が減少し、基準を共通のクロックに戻すことができるので、レイテンシ時間、ラウンド・トリップ遅延、および／またはジッタの測定も容易になる。
【００１２】
本発明による方法では、テスト・データ・パケットが送信または受信されるとすぐに、クロックが制御ユニットまたは評価ユニット内で開始される第４の方法ステップが本方法で行われること、第５の方法ステップで、テスト・データ・パケットまたは確認応答データ・パケットが受信されるとすぐに、制御ユニットまたは評価ユニット内のクロックが停止することが更に有利である。第６の方法ステップで、経過時間がバッファ・ユニットに加えられ、受信されたテスト・データ・パケットまたは受信された確認応答データ・パケットの数がインクリメントされる。制御ユニットが、自体からテスト・データ・パケットを送信するときにクロックを開始し、確認応答データ・パケットを受信するときにクロックを停止すれば、レイテンシ測定、ラウンド・トリップ遅延測定、および／またはジッタ測定を非常に容易に実現することが可能である。反対に、評価ユニットが、テスト・データ・パケットの受信次第クロックを開始し、更なるテスト・データ・パケットの受信次第クロックを停止し、経過時間を求めれば、評価ユニットは、データ・スループットを非常に簡単に求めることが可能である。
【００１３】
最後に、本発明による方法では、更なる方法ステップで、全てのテスト・データ・パケットが送信されたという指示を、制御ユニットまたは評価ユニットから評価ユニットまたは制御ユニットへの制御データ・パケットとして送信すると有利である。制御データ・パケットとして送信されるこうした指示は、干渉されずに受信器に到達し、稼働中のクロックが停止するとともに、スループットを算出することができることを確実にするはずである。とりわけ、送信されるテスト・データ・パケットが少数である場合は、それに応じて、この指示が受信器に到達しない場合、または、妨害される送信チャネルに起因する繰返しの送信の試みの後にのみ受信器に到達する場合よりも、スループット測定がはるかに正確になる。
【図面の簡単な説明】
【００１４】
下記では、図面に関連して、本発明の様々な実施形態を例として説明している。同一の主題には、同一の参照番号を付している。詳細には、以下が対応する図面である。
【図１】本発明による測定ユニットの一例示的実施形態の概略回路図である。
【図２】本発明による測定ユニットの更なる例示的実施形態の概略回路図である。
【図３】本発明による測定ユニットの更なる例示的実施形態の概略回路図である。
【図４】本発明による測定ユニットの更なる例示的実施形態の概略回路図である。
【図５】テスト・データ用パケットの考えられる構造の１つの図である。
【図６Ａ】無接続測定用の例示的シーケンス・プロトコルの図である。
【図６Ｂ】ラウンド・トリップ遅延の測定用の例示的シーケンス・プロトコルの図である。
【図６Ｃ】スループット測定用の例示的シーケンス・プロトコルの図である。
【図６Ｄ】レイテンシおよびジッタの測定用の例示的シーケンス・プロトコルの図である。
【図７】測定対象デバイスの送信パラメータを測定する本発明による方法の一例示的実施形態についてのフローチャートである。
【発明を実施するための形態】
【００１５】
図１は、測定対象デバイス２の送信パラメータを測定するための本発明による測定ユニット１の一例示的実施形態の概略回路図を示す。測定ユニット１は、制御ユニット３、送受信ユニット４、および評価ユニット５を備える。送受信ユニット４は、制御ユニット３に第１の接続６を介して接続される。この第１の接続６は、たとえばＬＡＮ接続とするこ
とができる。送受信ユニット４は、測定対象デバイス２に送信チャネル７を介して更に接続される。測定対象デバイス２は、評価ユニット５に第２の接続８を介して接続される。この第２の接続８は、たとえば、ＬＡＮ接続、ＵＳＢ接続（英語でuniversal serial bus、ドイツ語でuniverselle serieller Bus）、またはＰＣＭＣＩＡ接続（英語でpersonal computer memory card international association、ドイツ語でPersonalcomputerspeicherkarte, internationale Vereinigungskarte）とすることができうる。テスト・データ・パケットと制御データ・パケットとは、第１の接続６、第２の接続８および送信チャネル７を介して、制御ユニット３と評価ユニット５との間を別々に送信される。
【００１６】
送信チャネル７は、たとえばＬＴＥ標準、ＷｉＭＡＸ標準、ＷＬＡＮ標準またはＵＭＴＳ標準に従うシミュレート化された無線送信チャネルであることが好ましい。このコンテキストでは、送信チャネル７は、送受信ユニット４内でシミュレートされる。通信プロトコル次第では、送受信ユニット４は、多数の任意の設定を、信号パラメータについて、たとえば、ＯＦＤＭフレーム（英語でorthogonal frequency division multiplex、ドイツ語でorthogonaler Frequenzmultiplex）または様々な変調方法およびコード化方法について提供する。送受信ユニット４は、対応する通信プロトコル・スタック、たとえばＷｉＭＡＸスタックが実装されるデジタル信号プロセッサおよび／または中央処理ユニットを提供する。
【００１７】
好ましくはＬＡＮ接続である第１の接続６を介して、送受信ユニット４は、制御データ・パケットおよび／またはテスト・データ・パケットを受け取り、次いで、ＷｉＭＡＸ通信標準を使用することにより、これらパケットを複数のＯＦＤＭシンボルに割り当て、これらシンボルをそれぞれ別個の搬送周波数上に変調する。送受信ユニット４内の一体化された増幅器ユニットが、高周波データ信号を高周波出力端に供給する。送受信ユニット４の高周波出力端は、測定対象デバイス２にケーブル接続９を介して接続されるのが好ましい。図面では、ケーブル接続９は、送信チャネル７を含む。マルチプル・フェーディング（英語でfading）やノイズ等のようなエラーの要因としては、送受信ユニット４と測定対象デバイス２との間のケーブル接続９内ではなく、送受信ユニット４内でのみデータ信号に加えられ得るので、説明によってのみ示されている。。フェーディングを調整して、歩行者または動きの速い車両の速度で移動している測定対象デバイスをシミュレートすることが可能である。
【００１８】
図１に示す本発明による例示的実施形態の制御ユニット３および評価ユニット５は、それぞれ独立したコンピュータ・システムとして実現される。制御ユニット３および評価ユニット５はともに、テスト・データを生成するのに使用される擬似ランダム・ノイズ発生器を備える。擬似ランダム・ノイズ発生器は、好ましくは、生成多項式がシーケンス長を作り出す線形フィードバック・シフト・レジスタであるが、このシーケンス長は、テスト・データ・パケット内のペイロード・データ・フレームのサイズに近似的に相当する。
【００１９】
まず、個々のテスト・データ・パケット間の遅延を特定する一定の送信時間Δｔｚを算出することにより、制御ユニット３内および評価ユニット５内で、スループット測定用の所望のデータ率を調整する。これは、次の式で実現され、ただし、ＬＮは、テスト・データ・パケットのペイロード・データ（ペイロード）の長さをビットで示し、ＲＮは、所望のデータ率をＭＢｉｔｓ／ｓで示す。
【数１】
2013541893.tif 000003
【００２０】
この後、２つの連続したテスト・データ・パケットの送信の間に経過する時間をチェックし、これを定数Δｔｚから減算する。この差の値、および初めに０で初期化した実際の遅延パラメータの値のうちの１つが正である場合、この実際の遅延パラメータにこの差を加える。このようにして求めた遅延が０よりも大きい場合、数マイクロ秒である絶対値が、遅延として設定され、パケットは送られない。したがって、データ率のジッタを、繰返しごとに補償することができる。測定対象デバイス２のダウンリンク（送受信ユニット４から測定対象デバイス２へのデータ送信）をテストするか、アップリンク（測定対象デバイス２から送受信ユニット４へのデータ送信）をテストするかに応じて、テスト・データ・パケットは、制御ユニット３内（ダウンリンク測定の場合）または評価ユニット５内（アップリンク測定の場合）で生成、送信される。
【００２１】
制御データ・パケットおよびテスト・データ・パケットは、送受信ユニット４および測定対象デバイス２を介して、制御ユニット３、評価ユニット５間で交換される。制御データ・パケットは、コンフィギュレーションデータであるが、評価ユニット５は、このデータを使って、次の測定のために正確に調整される。制御データ・パケットは、たとえば、テスト・データ・パケットのサイズ、データ率、使用すべき生成多項式、同時データストリームの数、データストリーム毎に開放すべき接続ポート、または、測定が完了したことを伝え、テスト・プロトコルを要求する指示である。好ましくは、確認応答データ・パケット（ＡＣＫ）も、制御データ・パケットとして送られる。
【００２２】
ただし、これら制御データ・パケットの送信中に、送信チャネル７は、妨害されるべきではない。このことは、様々な方法に基づいて確実にすることができる。図１では、コンフィギュレーションデータは、送信パラメータの実測前に送信されることが好ましい。制御ユニット３および評価ユニット５が正確に構成されるとすぐに、制御ユニット３は、送信チャネルが妨害されるべきであることを、送受信ユニット４に伝える。測定対象デバイス２のアップリンク（uplink）をテストするか、ダウンリンク（downlink）をテストかに応じて、送信チャネル７のそれぞれの他方の経路が、妨害されないことが好ましい。これにより、妨害なく確認応答データ・パケット（ＡＣＫ）を送信することができることが確実になる。測定パラメータの測定が完了した後、制御ユニット３は、送受信ユニット４に、送信チャネル７がこれ以上は妨害されるべきではないことを伝える。この後、制御ユニット３は、評価ユニット５がテスト・プロトコルを作成し、これを制御ユニット３に送るように、評価ユニット５に指示を送る。
【００２３】
図２は、本発明による測定ユニット１の更なる例示的実施形態の概略回路図を示す。本発明による測定ユニット１の機能は、図１の機能に大部分は対応し、この理由で、記載中の対応箇所への言及を行う。妨害を受けない送信チャネル７を介して制御データ・パケットが送信される図１の測定ユニット１との違いとしては、図２の測定ユニット１の場合、制御データ・パケットが、制御ユニット３、評価ユニット５間を、妨害を受けない更なる接続２０を介して送信される。この更なる接続２０は、制御ユニット３と評価ユニット５との間の直接接続であり、たとえば、好ましくはＬＡＮ接続である。ＬＡＮ接続ではなく、シリアル接続またはＣＡＮインタフェース（英語でcontroller area network、ドイツ語でFeldbussystem）とすることもできる。有利な点の１つは、制御データ・パケットの
送信中にも送信チャネル７を妨害することができるので、妨害を受ける送信チャネル７を、妨害を受けない送信チャネル７に切り替える間に時間が消費されないことである。さらに、この結果、更なる接続２０を介して確認応答データ・パケットを送信することが可能なので、ＴＣＰ（英語でtransmission control protocol、ドイツ語でUbertragungssteuerungsprotokoll）等、コネクションオリエンテッドのプロトコルの全二重測定も可能になり、やはりこれも、時間節約に関連する。
【００２４】
図３は、本発明による測定ユニット１の更なる例示的実施形態の概略回路図を示す。図２に示す本発明による例示的実施形態との違いとしては、このケースの制御ユニット３と評価ユニット５とが、共通のコンピュータ・システム３０内で一体化されている。制御ユニット３と評価ユニット５とを含むコンピュータ・システム３０は、送受信ユニット４に第１の接続６を介して接続され、測定対象デバイス２に第２の接続８を介して接続される。制御ユニット３と評価ユニット５との両方がコンピュータ・システム３０内で同一のクロックにアクセス可能であることは、とりわけ有利である。互いに異なるクロックの同期が必要とされないので、このことは、レイテンシ測定およびジッタ測定の場合にとりわけ有利である。コンピュータ・システム３０は、好ましくは、少なくとも２つのＬＡＮインタフェースを提供するが、これら２つのＬＡＮインタフェースの一方は、送受信ユニット４に直接的に接続されるのが好ましく、他方は、測定対象デバイス２に直接的に接続されるのが好ましい。
【００２５】
図４は、本発明による測定ユニット１の更なる例示的実施形態の概略回路図を示す。本発明による図３の例示的実施形態とは対照的に、制御ユニット３および評価ユニット５が、送受信ユニット４のコンピュータ・システム４０内で、共同で実現される。制御ユニット４０と評価ユニット５とを伴う送受信ユニット４のコンピュータ・システム４０が、送信チャネル７および第２の接続８を介して、測定対象デバイス２に接続される。必要とされるコンピュータ・システムの数が最小限に抑えられ、これにより、測定ユニット１についてのコストを下げることは、とりわけ有利である。
【００２６】
図５は、テスト・データ用パケットの一例示的構造を示す。この説明では、「テスト・データ」という用語および「テスト・データ・パケット」という用語を、テスト・データがテスト・データ・パケット内のペイロード・データを表すように使用している。たとえば、テスト・データ用パケットの最初の１６ビットは、識別データのために確保される。テスト・データ用の構造のこの領域により、パケットが属するストリーム（英語でstream）が確定する。制御ユニット３および受信ユニット５は、ＴＣＰやＵＤＰ（英語でuser datagram protocol、ドイツ語でBenutzer Datagramm Protokoll）等の様々な通信プロトコルの互いに異なる接続ポートにおける様々な並列ストリームを介してテスト・データ・パケットを交換することを可能にする。
【００２７】
テスト・データ用のパケットの２番目のセグメントは、パケット番号を含む。パケット番号は、３２ビット値で表される。送信される全てのテスト・データ・パケットのパケット番号は、先行するテスト・データ・パケットのパケット番号に対して、１だけインクリメントされるのが好ましい。送信パラメータの測定の開始前に、いくつのテスト・データ・パケットが送信されることとなるかについてのコンフィギュレーションパラメータにより、評価ユニット５に通知が行われる。したがって、送信および／または受信されることとなるテスト・データ・パケットの最大数が、制御ユニット３と評価ユニット５との両方で認識される。
【００２８】
テスト・データ用パケットの３番目のセグメントにおいて、送信時間が、６４ビット値でバッファリングされる。この送信時間は、好ましくは、テスト・データ・パケットが生成されるときの、送信ユニット３または評価ユニット５内のハードウェア内で実現される
カウンタ・コンポーネントのカウンタ・ステータスであるが、このステータスは、現在利用可能な全てのコンピュータ・システムにより提供される。後でより詳細に説明するが、この情報は、レイテンシを算出するのに非常に重要である。正確なクロック・タイムを、クロックからバッファリングすることもできる。
【００２９】
テスト・データ用のパケットの４番目の３２ビット・セグメントは、テスト・データの長さ、または、テスト・データ・パケット内のペイロード・データの長さを含む。
【００３０】
最後に、テスト・データ用のパケットの５番目のセグメントが、送信されるテスト・データを含むが、このデータは、擬似ランダム・ノイズ発生器を用いて生成することが好ましい。
【００３１】
図５に示す例示的テスト・データ・パケットは生成された後、たとえばＴＣＰパケットまたはＵＤＰパケットのペイロード・データ（ペイロード部分）向けの構造に埋め込まれる。
【００３２】
図６Ａは、無接続測定の例示的シーケンス・プロトコルを示す。初めに、ＴＣＰ接続等、コネクションオリエンテッドの接続設定が実装される。この接続は、制御ユニット３により、評価ユニット５の構成のために使用される。任意選択で、前の測定対象デバイス２からの送信パラメータを伴う既存のテスト・プロトコルを削除することもできる。こうした命令の送信には、確認応答データ・パケット（ＡＣＫデータ、英語でAcknowledge）を送信することにより、コネクションオリエンテッドの接続に基づいて確認応答が行われる。これに続いて、制御ユニット３から評価ユニット５にコンフィギュレーションパラメータが送信される。コンフィギュレーションパラメータの受信にも、やはり、確認応答データ・パケットの送信により確認応答が行われる。このときまでに、シーケンス・プロトコルが本発明による図１の測定ユニット１の例示的実施形態に基づくならば、送信チャネル７は妨害されない。これに続いて、マルチプル・フェーディングおよび／またはノイズを加えることで、送信チャネル７が意図的に妨害される。次に、１〜ｎ個のテスト・データ・パケットが送信され、ただし、ｎについて次の式が適用される。
【数２】
2013541893.tif 000004
【００３３】
ただし、これらテスト・データ・パケットは、ＴＣＰパケットまたはＵＤＰパケットに埋め込まれ、図５の構造を提供する。
【００３４】
図６Ａでは、テスト・データ・パケットは、ＵＤＰパケットに埋め込まれ、確認応答データ・パケットの送信は行われない。先に説明したように、所定のデータ率を実現するために、テスト・データ・パケットは送信前に遅延される。個々のテスト・データ・パケットを、互いに異なるストリーム（英語でstream）に関連させることもできる。テスト・データ・パケットを、ＴＣＰパケットに埋め込むこともできるが、この場合、確認応答データ・パケットが、妨害を受けていない送信チャネル７または更なる接続２０を介して送信される。ダウンリンク（英語でdownlink）の場合、アップリンク（英語でuplink）は、妨害を受けない。本発明による測定ユニット１が、図２、３または４のうちの１つの例示的実施形態のうちの１つにより実現される場合、複数のテスト・データ・パケットを同時に、評価ユニット５から制御ユニット３に送信することも可能である（全二重）。これにより、テスト時間の更なる著しい短縮が実現される。
【００３５】
スループット測定の完了の後、送信チャネル７の干渉が中止され、制御ユニット３が、評価ユニット５への到達が可能であるかどうかを随意チェックする。これに続いて、制御ユニット３は、評価ユニット５が測定された送信パラメータを伴うテスト・プロトコルを作成し、送信するべきであるという命令を、評価ユニット５に伝える。本発明による測定ユニット１が、図２、３または４のうちの１つの例示的実施形態のうちの１つに従って設定されている場合、送信チャネル７への干渉を中止する必要はない。この場合、テスト・プロトコルを要求する命令は、更なる接続２０を介して送信されるが、この様は、図３および４においてコンピュータ・システム３０および４０にて示している。
【００３６】
アップリンク測定（アップリンク）を実行する場合、評価ユニット５は、測定が完了したという指示を制御ユニット３に伝える。次いで、制御ユニット３は、テスト・プロトコルを自体で生成するが、この場合、やはり随意測定されたラウンド・トリップ遅延時間が、評価ユニット５により呼び出される。
【００３７】
図６Ｂは、測定対象デバイス２におけるダウンリンク測定のためのラウンド・トリップ遅延の測定用の例示的シーケンス・プロトコルを示す。この目的のために、テスト・データ・パケットが、ＴＣＰ等のコネクションオリエンテッドの通信プロトコルに埋め込まれる。初めに、こうしたテスト・データ・パケットが、制御ユニット３から評価ユニット５に送信される。テスト・データ・パケットが送信されるとすぐに、クロックが開始されるか、または、カウンタ・ユニットの現在値がバッファリングされる。データ・パケットが評価ユニット５により受け取られるとすぐに、確認応答データ（ＡＣＫ）が返信される。これら確認応答データが制御ユニット３により受け取られるとすぐに、クロックが停止されるか、または、カウンタ・ユニットの現在値と、カウンタ・ユニットのバッファリングされた前の値との差分が形成される。テスト・データ・パケットの送信から、確認応答データ・パケットの到達までの時間差を、ラウンド・トリップ遅延（Rundlaufverzogerung）とも称する。このコンテキストでの確認応答データ・パケットは、送信チャネル７の妨害を受けない戻りチャネルを介して送信することも、更なる接続２０を介して送信することも可能である。テスト・データ・パケットが受け取られない場合、次のテスト・データ・パケットが送信されると、クロックが自動的に停止する。この場合、パケット誤り率を算出することもできるが、このパケット誤り率を用いて、測定対象デバイス２の品質を記述することもできる。
【００３８】
この構成の場合、達成されるデータ・スループットを、制御ユニット３により直接的に算出することもできる。送信されたｎ個のテスト・データ・パケットからのｐ個の確認応答データが受け取られる場合（ただし、ｎ≧ｐ）、データ・スループットは、以下の式で算出される。
【数３】
2013541893.tif 000005
ただし、ＬＮは、ペイロード・データの長さを表し、Ｔｇｅｓは、送信の期間を表す。アップリンク測定（アップリンク）が実行される場合、ラウンド・トリップ遅延、および任意選択でデータ・スループットが、評価ユニット５により測定される。
【００３９】
図６Ｃは、ＵＤＰ等の無接続型の接続プロトコルを使用したスループット測定用の例示的シーケンス・プロトコルを示す。評価ユニット５がテスト・データ・パケットを受け取るとすぐに、クロックが開始されるか、または、カウンタ・ユニットの現在値がバッファリングされる。更なるテスト・データ・パケットが評価ユニット５により受け取られると
すぐに、クロックが停止されるか、または、カウンタ・ユニットのバッファリングされた前の値と、カウンタ・ユニットの現在値との差分が形成される。同時に、新たなクロックが開始されるか、または、カウンタ・ユニットの新たな値がバッファリングされる。評価ユニットが、測定が完了し、テスト・プロトコルを作成するべきであるという指示を受け取るとすぐに、最後のクロックが停止するか、または、最後の差分が形成される。次いで、データ・スループットが、以下の式で算出される。
【数４】
2013541893.tif 000006
ただし、ＬＮは、ペイロード・データの長さを示し、ｐは、受信されるテスト・データ・パケットの数を示し、Ｔｉは、受信される個々のテスト・データ・パケット間の時間を示す。初めに、送信するべきテスト・データ・パケットの総数ｎをやはり含んだコンフィギュレーションデータを、評価ユニット５に通知した。パケット誤り率を、受け取られるテスト・データ・パケットの数ｐに基づいて求めることが可能である。
【００４０】
図６Ｄは、ＵＤＰ等の無接続型の接続プロトコルを使用したレイテンシおよびジッタ（Schwankungen）の測定用の例示的シーケンス・プロトコルを示す。制御ユニット４がテスト・データ・パケットを生成するとすぐに、クロックの現在値またはカウンタ・ユニットの現在値が、テスト・データ・パケット内の送信時間のための構造内にバッファリングされる。評価ユニット５は、制御ユニット４と同一のクロックまたはカウンタ・ユニットにアクセスできるように、制御ユニット４と同一のコンピュータ・システム３０、４０内で一体化されるのが好ましい。こうでなければ、評価ユニット５のクロックまたはカウンタ・ユニットを、制御ユニット３のクロックまたはカウンタ・ユニットに前もって同期させなければならない。評価ユニット５がテスト・データ・パケットを受け取るとすぐに、時間差またはカウンタの差に基づいてレイテンシを求めることができる。次いで、２番目のテスト・データ・パケットが送信される場合、そのレイテンシを求めることもできるが、これは、１番目のテスト・データ・パケットのレイテンシとは異なることもある。最後に、全てのレイテンシについての平均値を形成し、その分散（平均値からの偏差）、または個々にジッタを求めることができる。テスト・データ・パケットが評価ユニット５から制御ユニット３に送信される場合は、同じことが、アップリンク測定（英語でuplink）にも適用される。
【００４１】
図７は、測定対象デバイス２の送信パラメータを測定する本発明による方法の一例示的実施形態についてのフローチャートを示す。１番目の方法ステップＳ１では、制御データ・パケットが、制御ユニット３と評価ユニット５との間で送信される。このコンテキストでは、制御ユニット３が、続いて行われる送信パラメータの測定のためのコンフィギュレーションパラメータを評価ユニット５に伝える。コンフィギュレーションパラメータは、たとえば、送信されるテスト・データ・パケットの数、データ率、データストリームの数、使用される通信プロトコルの種類、生成多項式の種類等を含む。これらの制御データ・パケットは、ＴＣＰ等のコネクションオリエンテッドの通信プロトコルで送信するのが好ましい。この場合、送信チャネル７は妨害を受けることがないか、制御データ・パケットは、更なる接続２０を介して、制御ユニット３と評価ユニット５との間で交換される。
【００４２】
２番目の方法ステップＳ２では、送信チャネル７が、制御ユニット３と評価ユニット６との間のテスト・データ・パケットの送信に使用され、意図的に妨害される。したがって、マルチプル・フェーディングまたはノイズ等の干渉をシミュレートすることができる。
【００４３】
更なる方法ステップＳ３では、ダウンリンク（英語でdownlink）を測定するか、アップリンク（英語でuplink）を測定するかに応じて、テスト・データ・パケットが、制御ユニット３と評価ユニット５との間、または評価ユニット５と制御ユニット３との間で送信される。このコンテキストでは、テスト・データ・パケットを、ＴＣＰパケットまたはＵＤＰパケットに埋め込むことができる。送信時間を、テスト・データ・パケットの構造内にバッファリングすることもできる。この目的のために、クロックの現在時間またはカウンタ・ユニットの現在値を、テスト・データ・パケット中の対応する６４ビット構造に内にバッファリングする。
【００４４】
４番目の方法ステップＳ４では、テスト・データ・パケットが送信もしくは受信されるとすぐに、制御ユニット３または評価ユニット５内でクロックが開始されるか、カウンタ・ユニットの値がバッファリングされる。図６Ｂは、確認応答データ・パケットに基づいたラウンド・トリップ遅延を算出するためにテスト・データ・パケットを送信するユニット５、３内で、クロックを開始させる場合に実現される利点を説明している。図６Ｃは、テスト・データ・パケットの受信を受けて、テスト・データ・パケットの受信側でクロックが開始される場合の利点を示す。時間に加えて、固定クロック・パルスに従ってインクリメントされるカウンタ・ユニットの値をバッファリングすることができる。
【００４５】
更なる方法ステップＳ５では、更なるテスト・データ・パケットまたは確認応答データ・パケットが受信されるとすぐに、クロックが停止される。この場合において、図６Ｂは、どのようにラウンド・トリップ遅延を算出できるかを示す。図６Ｃは、どのようにデータ・スループットを求めるかを示し、図６Ｄは、どのようにレイテンシを求めることができるか、どのようにジッタをレイテンシから求めることができるかを示す。
【００４６】
６番目の方法ステップＳ６では、最後から２番目の受信テスト・データ・パケットが受信されてから最後の受信テスト・データ・パケットが受信されるまでに得られる時間差が、既に加算されている時間差に加算される。さらに、受信されたテスト・データ・パケットの数、または任意選択で、確認応答データ・パケットの数が、１だけ増加される。ここでの目的は、受信されるテスト・データ・パケットの数をカウントし、これらテスト・データ・パケットが受信されるまでに必要な時間を登録し、これにより、妨害を受ける送信チャネル７によって、データ・スループットを算出することができるようにすることである。６番目の方法ステップＳ６の完了の後、新たなテスト・データ・パケットを送信することにより、３番目の方法ステップＳ３を繰り返すこともできる。
【００４７】
テスト・データ・パケットがこれ以上送信されない場合、または、テスト・データ・パケットが、ＴＣＰ等のコネクションオリエンテッドの通信プロトコルを使用して送信される場合、７番目の方法ステップＳ７で、送信チャネル７への干渉が無くされるか、または、制御データ・パケットが、妨害を受けない更なる接続２０で送信される。コネクションオリエンテッドのプロトコルを使用する場合、制御データ・パケットを確認応答データ・パケットとすることができるが、このパケットを用いて、テスト・データ・パケットへの確認応答が行われる。コネクションオリエンテッドのプロトコルを使用することにより、更なるテスト・データ・パケットを送信する場合は、方法ステップＳ３を繰り返してもよい。
【００４８】
テスト・データ・パケットがこれ以上送信されない場合、方法ステップＳ８が実行されるが、このステップでは、制御ユニット３から評価ユニット５にまたは評価ユニット５から制御ユニット３に、全てのテスト・データ・パケットが送られたことの指示が送信される。
【００４９】
９番目の方法ステップＳ９では、送信パラメータが算出される。データ・スループット
が、式（３）に関して求められるが、この式に従って、送信されたビットの数が求められ、これが合計時間で除される。テスト・データ・パケットについてのラウンド・トリップ遅延の算出は、図６Ｂについての記載で説明している。測定の完了の後、ラウンド・トリップ遅延の値全ての平均をとる。同じことが、レイテンシおよびジッタの算出にもあてはまる。誤りパケット率が、受信されたテスト・データ・パケットと、初めに予測した、受信されるテスト・データ・パケットの最大数との比から算出される。
【００５０】
最後の方法ステップＳ１０では、テスト・プロトコルが、制御ユニット３および／または評価ユニット５により作成され、これが、任意選択で評価ユニット５から制御ユニット３に送信される。制御ユニットは、任意選択で両テスト・プロトコルを組み合わせ、これらを不図示のスクリーン・ユニット上に表示する。
【００５１】
本発明の範囲内で、説明および／または図示を行った特徴の全ては、必要に応じて互いに組み合わせることが可能である。
【図１】
2013541893.tif 000007
【図２】
2013541893.tif 000008
【図３】
2013541893.tif 000009
【図４】
2013541893.tif 000010
【図５】
2013541893.tif 000011
【図６Ａ】
2013541893.tif 000012
【図６Ｂ】
2013541893.tif 000013
【図６Ｃ】
2013541893.tif 000014
【図６Ｄ】
2013541893.tif 000015
【図７】
2013541893.tif 000016
【手続補正書】
【提出日】平成24年10月24日(2012.10.24)
【手続補正１】
【補正対象書類名】特許請求の範囲
【補正対象項目名】全文
【補正方法】変更
【補正の内容】
【特許請求の範囲】
【請求項１】
測定対象デバイス（２）の送信パラメータを測定するための測定ユニット（１）であって、
制御ユニット（３）と、
送受信ユニット（４）と、
評価ユニット（５）と
を備え、
前記送受信ユニット（４）が、前記制御ユニット（３）に第１の接続（６）を介して接続されるとともに、前記測定対象デバイス（２）に少なくとも１つの送信チャネル（７）を介して接続され、
確認応答データ・パケット（ＡＣＫ）が、制御データ・パケットとして送信され、
前記測定対象デバイス（２）が、前記評価ユニット（５）に第２の接続（８）を介して接続され、
前記測定対象デバイス（２）の前記送信パラメータの前記測定のために、前記制御ユニット（３）と前記評価ユニット（５）との間を、制御データ・パケットとテスト・データ・パケットとが別々に送信され、
前記テスト・データ・パケット用の前記送信チャネル（７）に意図的に妨害を行うことが可能であり、
前記測定対象デバイス（２）のアップリンク経路をテストするか、ダウンリンク経路をテストするかに応じて、前記送信チャネル（７）におけるそれぞれの他方の経路に妨害が行われず、これにより、前記確認応答データ・パケット（ＡＣＫ）を、妨害が行われることなく送信することが可能である、
測定ユニット（１）。
【請求項２】
前記送信チャネル（７）が、たとえばＬＴＥ標準、ＷｉＭＡＸ標準、ＷＬＡＮ標準またはＵＭＴＳ標準に従うシミュレート化された無線送信チャネルであることを特徴とする、
請求項１に記載の測定ユニット。
【請求項３】
前記送信チャネル（７）が、前記制御データ・パケットの送信中に妨害を受けないことを特徴とする、
先の請求項のうちのいずれか１項に記載の測定ユニット。
【請求項４】
前記送信チャネル（７）に、マルチプル・フェーディングやノイズ等の干渉を加えることが可能であることを特徴とする、
先の請求項のうちのいずれか１項に記載の測定ユニット。
【請求項５】
前記制御データ・パケットを、妨害を受けない送信チャネル（７）介して、または、妨害を受けない少なくとも１つの更なる接続（２０）を介して送信することが可能であることを特徴とする、
先の請求項のうちのいずれか１項に記載の測定ユニット。
【請求項６】
前記更なる接続（２０）が、前記制御ユニット（３）と前記評価ユニット（５）との間の直接接続であることを特徴とする、
請求項５に記載の測定ユニット。
【請求項７】
前記送信パラメータの前記測定が、スループット測定、レイテンシ時間測定、ラウンド・トリップ遅延測定（Rundlauf-Verzogerungs-Messung）、ジッタ測定（Schwankungs-Messung）、および／または、パケット誤り率であることを特徴とする、
先の請求項のうちのいずれか１項に記載の測定ユニット。
【請求項８】
前記制御ユニット（３）および前記評価ユニット（５）が、共通のコンピュータ・システム（３０）内に組み入れらること、または、前記制御ユニット（３）および前記評価ユニット（５）が、前記送受信ユニット（４）のコンピュータ・システム（４０）内に共同で組み入れられることを特徴とする、
先の請求項のうちのいずれか１項に記載の測定ユニット。
【請求項９】
測定対象デバイス（２）の送信パラメータを、測定ユニット（１）を使って測定する方法であって、
前記測定ユニット（１）が、制御ユニット（３）と、送受信ユニット（４）と評価ユニット（５）とを備え、
前記送受信ユニット（３）が、前記制御ユニット（３）に第１の接続（６）を介して接続されるとともに、前記測定対象デバイス（２）に送信チャネル（７）を介して接続され、
確認応答データ・パケット（ＡＣＫ）が、制御データ・パケットとして送信され、
前記測定対象デバイス（２）が、前記評価ユニット（５）に第２の接続（８）を介して接続され、
前記測定対象デバイス（２）のアップリンク経路をテストするか、ダウンリンク経路をテストするかに応じて、前記送信チャネル（７）におけるそれぞれの他方の経路に妨害が行われず、これにより、前記確認応答データ・パケット（ＡＣＫ）を、妨害が行われることなく送信することが可能であり、
前記方法が、
前記制御ユニット（３）と前記評価ユニット（５）との間で制御データ・パケットを送信する方法ステップ（Ｓ１）と、
前記制御ユニット（３）と前記評価ユニット（５）との間でのテスト・データ・パケットの送信に使用される送信チャネル（７）を意図的に干渉する方法ステップ（Ｓ２）と、
前記制御ユニット（３）と前記評価ユニット（５）との間で、または、前記評価ユニット（５）と前記制御ユニット（３）との間でテスト・データ・パケットを送信する方法ステップ（Ｓ３）と
を有する方法。
【請求項１０】
テスト・データ・パケットが送信または受信されるとすぐに、前記制御ユニット（３）内または前記評価ユニット（５）内のクロックを開始する方法ステップ（Ｓ４）と、
更なるテスト・データ・パケットまたは確認応答データ・パケットが受信されるとすぐに、前記制御ユニット（３）内または前記評価ユニット（５）内の前記クロックを停止する方法ステップ（Ｓ５）と、
経過時間をバッファ・ユニットに加え、受信されたテスト・データ・パケットまたは確認応答データ・パケットの数をインクリメントする方法ステップ（Ｓ６）と
を特徴とする請求項９に記載の方法。
【請求項１１】
制御データ・パケットが送信されるとすぐに、前記干渉を無くすか、または、前記制御ユニット（３）と前記評価ユニット（５）との間の妨害を受けない更なる接続（２０）で前記制御データ・パケットを送信する方法ステップ（Ｓ７）
を特徴とする請求項９または１０に記載の方法。
【請求項１２】
前記制御ユニット（３）または前記評価ユニット（５）から前記評価ユニット（５）または前記制御ユニット（３）に、全てのテスト・データ・パケットが送信されたことの指示を、制御データ・パケットとして送信する方法ステップ（Ｓ８）
を特徴とする、請求項９〜１１のうちのいずれか１項に記載の方法。
【請求項１３】
前記制御ユニット（３）または前記評価ユニット（５）により、データ・スループット、レイテンシ、ラウンド・トリップ遅延（Rundlauf-Verzogerung）、ジッタ（Schwankungen）、パケット誤り率等の前記送信パラメータを算出する方法ステップ（Ｓ９）
を特徴とする請求項１２に記載の方法。
【請求項１４】
前記制御ユニット（３）により、テスト・プロトコルを作成し（Ｓ１０）、および／または、前記評価ユニット（５）により、テスト・プロトコルを作成し、前記制御ユニット（４）に前記テスト・プロトコルを制御データ・パケットとして通信する方法ステップ
を特徴とする請求項１３に記載の方法。
【国際調査報告】
2013541893.tif 000017
2013541893.tif 000018
2013541893.tif 000019
2013541893.tif 000020
2013541893.tif 000021
2013541893.tif 000022